(57)【要約】      （修正有）【課題】タッセルのデザイン性、材質を自由に選択できる利点を享有しつつ、磁着力を一定かつ強固にできるカーテン用タッセルの留具を提供する。【解決手段】可撓性を有し、かつ折返し基部２ａを連続させた二つ折状のベース片２を有し、カーテン６の縁部を挟んで互いに磁着される磁着式の留具であって、各ベース片２の開閉面部に互いに磁着する磁石３，４を設けて開閉可能かつ閉鎖方向に付勢するとともに、両ベース片２の折返し基部２ａの近傍は結合手段５を介して結合し、該結合手段５による結合部と前記折返し基部２ａとの間に形成されたループに、タッセル１０の端部を係脱自在に係止する係止具８を設けた。【選択図】図１
0003172522.tif 000002
【実用新案登録請求の範囲】
【請求項１】
可撓性を有し、かつ折返し基部を連続させた二つ折状のベース片を有し、カーテンの縁部を挟んで互いに磁着される磁着式の留具であって、前記各ベース片の開閉面部に互いに磁着する磁石を設けて開閉可能かつ閉鎖方向に付勢するとともに、前記両ベース片の折返し基部の近傍は結合手段を介して結合し、該結合手段による結合部と前記折返し基部との間に形成されたループに、タッセルの端部を係脱自在に係止する係止具を設けたことを特徴とするカーテン用タッセルの留具。
【請求項２】
二片に分離し、かつ互いに磁着される可撓性の一対のベース片を有し、カーテンの縁部を挟んで互いに磁着される磁着式の留具であって、前記各ベース片の対向面部には互いに磁着される磁石を設け、かつカーテンの外側において前記ベース片同士を脱着可能に連結する連結具を設けるとともに、前記各ベース片の他端側基部を折返して結合手段を介して結合し、該結合手段による結合部と前記折返し基部との間に形成されたループに、タッセルの端部を係脱自在に係止する係止具をそれぞれ設けたことを特徴とするカーテン用タッセルの留具。
【請求項３】
前記連結具として、雌雄のホックを用いたことを特徴とする請求項２に記載のカーテン用タッセルの留具。
【請求項４】
前記連結具として、ボタンとボタン孔を用いたことを特徴とする請求項２に記載のカーテン用タッセルの留具。
【請求項５】
前記結合手段として、ハトメ具を用いたことを特徴とする請求項１乃至４のいずれか１項に記載のカーテン用タッセルの留具。
【請求項６】
前記係止具として、その一部を開閉可能とし、かつ常時閉鎖方向に付勢されるリング状係止具を用い、該係止具にタッセルの両端部に設けられた係止リング部が係止されることを特徴とする請求項１乃至５のいずれか１項に記載のカーテン用タッセルの留具。
【請求項７】
前記結合部と前記折返し基部との間に形成されたループに、リング状のクリップを設け、該クリップに前記係止具が連繋されて設けられていることを特徴とする請求項１乃至５のいずれか１項に記載のカーテン用タッセルの留具。
【請求項８】
前記磁石として、ネオジム系磁石などの強磁着力を有する磁石を用いたことを特徴とする請求項１乃至７のいずれか１項記載のカーテン用タッセルの留具。
【請求項９】
前記ベース片の少なくとも外表面には、模様が設けられていることを特徴とする請求項１乃至８のいずれか１項記載のカーテン用タッセルの留具。
【考案の詳細な説明】
【技術分野】
【０００１】
本考案は、留具そのものをカーテン縁部に固定して用いることの出来るカーテン用タッセルの留具に関する。
【背景技術】
【０００２】
カーテンは遮光、あるいは遮蔽を目的とし、窓、掃出しなどの建物の開口部上縁に固定されたカーテンレールに沿って移動可能に吊下したものであり、カーテンを用いる場合は、開口部一面に展張し、必要がないときは開口部側縁に取り付けられたタッセル（カーテンを束ねるための房）に束ねおかれる。
【０００３】
カーテン用タッセルは、束ねるための機能のほかに、カーテンアクセサリとしての装飾機能も兼用したものであり、従来では、開口部側縁の柱などに固定された留具に少なくとも一端を引掛け係止しておき、カーテンを束ねる際には束ねられたカーテンに一周させた後、他端を留具に引掛け係止することで、カーテンを開口縁部に包囲緊縛状態に拘束する。
【０００４】
しかし、留具を開口部側縁の柱などに固定するためには、釘、ビスなどの取付手段が必要であり、柱を傷付けるとともに、留具を撤去する場合に孔跡が目立ってしまい、見栄え低下の原因となる。また、カーテンの束ね位置は開口側縁のみに限定される。
【０００５】
そこで、磁石を利用したカーテン用タッセルの留具が提案されている（特許文献１、２）。
【０００６】
特許文献１の留具は、タッセル本体の両端布部内に互いに磁着する磁石を設けたものであり、タッセル本体で束ねられたカーテンを抱持し、端部同士を互いに磁着させることにより、カーテンを抱持状態に拘束する。また、特許文献２の留具は、互いに磁着する分離された一対の留具を有し、一対の留具のそれぞれにタッセルの端部を係止するものである。いずれの構造ともタッセルの非使用時には磁石同士をカーテンの縁部を挟んで磁着させることにより、カーテンそのものに仮固定されてしまうので、留具を柱などに固定する必要がなく、カーテンの束ね位置も開口側縁に限定されない利点がある。
【先行技術文献】
【特許文献】
【０００７】
【特許文献１】特開平１１−３４６９１２号公報
【特許文献２】特開平１１−２６７００８号公報
【考案の概要】
【考案が解決しようとする課題】
【０００８】
特許文献１の留具では、タッセル本体と留め部とが連続しており、タッセルのデザインや材質によっては適合させることができない場合もあるため、タッセルそのものの選択幅を狭めてしまう。また特許文献２の場合には、一対の留具の磁石によるカーテン地への磁着が面方向にずれた場合には、磁着作用が極端に小さくなるなどの不安定さがあった。
【０００９】
そこで本考案は、以上の課題を解決するものであり、その目的は、タッセルのデザイン性、材質を自由に選択できる利点を享有しつつ、磁着力を一定かつ強固に出来ることを可能としたカーテン用タッセルの留具を提供するものである。
【課題を解決するための手段】
【００１０】
前記目的を達成するために本考案は、図１乃至４の第１実施形態にも示すように、可撓性を有し、かつ折返し基部２ａを連続させた二つ折状のベース片２を有し、カーテン６の縁部を挟んで互いに磁着される磁着式の留具であって、前記各ベース片２の開閉面部に互いに磁着する磁石３，４を設けて開閉可能かつ閉鎖方向に付勢するとともに、前記両ベース片２の折返し基部２ａの近傍は結合手段５を介して結合し、該結合手段５による結合部と前記折返し基部２ａとの間に形成されたループに、タッセル１０の端部を係脱自在に係止する係止具８を設けたことを特徴としている。
【００１１】
また本考案では、図５の第２実施形態にも示すように、二片に分離し、かつ互いに磁着される可撓性の一対のベース片２１，２１を有し、カーテンの縁部を挟んで互いに磁着される磁着式の留具であって、前記各ベース片２１の対向面部には互いに磁着される磁石を設け、かつカーテン６の外側において前記ベース片２１，２１同士を脱着可能に連結する雌雄のホック２２，２３よりなる連結具を設けるとともに、前記各ベース２１片の他端側基部２１ｂを折返して結合手段５を介して結合し、該結合手段５による結合部と前記折返し基部２１ｂとの間に形成されたループに、タッセル１０の端部を係脱自在に係止する係止具８をそれぞれ設けたことを特徴としている。
【００１２】
前記連結具としての雌雄のホックに代えて、ボタンとボタン孔を用いることができる。
【００１３】
前記結合手段５としては、ハトメ具を用いることが出来る。
【００１４】
さらに、前記係止具８としては、その一部を開閉可能とし、かつ常時閉鎖方向に付勢される、ナス環等のリング状係止具を用いることが望ましい。
【００１５】
前記結合手段５による結合部と前記折返し基部との間に形成されたループに、リング状のクリップ７を設け、該クリップ７に前記係止具８を鎖状に連繋させて設けるようにすることができる。
【００１６】
前記係止具８としては、略Ｊ形など鉤形のフック具を用いることもできる。
【００１７】
またさらに、磁石としては、ネオジム系磁石などの強力磁石を用いることが望ましい。
【００１８】
前記ベース片２（２１）の少なくとも外表面には、模様を設けることができる。
模様は、カラーや単色の各種印刷模様の他、ベース片２（２１）が厚手の合成樹脂シート、或いは天然や合成皮革の場合には、焼印やプレス等の模様とすることができる。
【考案の効果】
【００１９】
本考案の請求項１の留具１では、係止具８を介してタッセルの端部が留具１に係脱自在に支持されるが、タッセルの非使用時、すなわちカーテンの展開状態ではタッセルの一端又は両端を連結した状態で留具そのものがその磁着力によりカーテンの縁部に固定される。
対面する磁石３，４同士はハトメ具などの結合手段５を支点に常時向い合うように精度よく位置決めされるため、留具１のカーテンへの磁着による固定時には磁石３，４同士の面方向のずれがなく、磁着力にむらが生じない。
タッセルの使用時、すなわちカーテンを閉じてまとめた状態では、タッセルを廻してカーテンを抱持緊縛した状態でタッセルの自由端をカーテンに磁着された留具１を介して係止具に係止すればよいため、タッセルに対し直接的に磁石の磁着力は作用せず、確実にカーテンを拘束でき、また、これによりタッセルそのものもデザイン性や材質に制限を受けず、自由に選択が出来る。
【００２０】
請求項２記載の留具２０では、請求項１の効果に加え、ベース片２１，２１同士を連結具の脱着により強制的に分離することが可能となり、かつ連結具による連結状態では、連結具が磁石３，４同士の面方向のずれ防止のための支点となる。
連結具として雌雄のホック２２，２３を用いることにより、一対のベース片の着脱作業が容易になる。
また、連結具としてボタンとボタン孔による連結構造とすることにより、ボタンをタッセル端部の装飾部材とすることができる。
【００２１】
結合手段５として、ハトメ具を用いることにより、留具の折返し基部にループを簡単に作ることが出来、タッセル端部を係止させるナス環などの係止具を確実に連繋させることができる。
【００２２】
請求項６又は７記載の考案では、留具とタッセル端部との脱着が簡単で確実である。なお、この種の機能を備えたリング状係止具としてはナス鐶などが好適に用いられる。
【００２３】
請求項８記載の考案では、カーテンに対する留具の固定が確実かつ強固となる。なお、ネオジム系磁石は現在一般に提供されている最も強力な磁石とされている。
【００２４】
本考案の留具では、留具を構成する左右のベース片を、例えば、蝶形など容易にデザイン化することができる。また、ベース片の少なくとも外表面に、印刷や刻印などの模様を施すことにより、カーテン用タッセルの趣味性と商品価値を向上させることが可能となる。
【図面の簡単な説明】
【００２５】
【図１】本考案にかかる留具の第１実施形態における留具をカーテン縁部に取付けた状態を示す側面図である。
【図２】図１のＡ−Ａ線断面図である。
【図３】同留具のベース片を左右に開いた状態を示す斜視図である。
【図４】同留具にタッセルを取付け、カーテンを拘束した状態を示す説明図である。
【図５】本考案にかかる留具の第２実施形態を示す分解斜視図である。
【考案を実施するための形態】
【００２６】
以下、本考案を適用した実施の形態例を図１〜図５を参照して説明する。
図１〜図４は、本考案の第１の実施形態を示すものである。
まず図１〜図３において、留具１は、厚手の布、プラスチックシート、天然又は合成皮革などの可撓性を有し、かつ折返し基部２ａを連続させた二つ折状のベース片２により形成される。ベース片２同士の対向面に偏平円盤形の磁石３，４を互いに極性がＮＳとなるべく埋込んで固定し、その周縁を超音波または高周波などのウエルダ加工などの縁取２ｂにより、周囲を一体的に閉じたものである。なお、磁石３，４としては、現在最も強着磁力を有するとされるネオジム系磁石を用いることが望ましい。
【００２７】
前記折返し基部２ａは、ハトメ具よりなる結合手段５によって基部に折り返し状のループを形成した状態で互いに結合され、磁石３，４同士を開閉する際にこの結合手段５を支点として、特に図３に示すごとく、ベース片２同士が開閉される。閉時、すなわちカーテン６を挟んで両磁石３，４同士を対向させることにより、磁着した際の面方向のずれをなくし、均一かつ強固にベース片２をカーテン６に固定している。
【００２８】
折返し基部２ａには、予めリング状のクリップ７が取付けられており、このクリップ７を介して、ナス環により形成される係止具８が脱着可能に取付けられている。この係止具８には後述するタッセル１０の両端部に設けられた係止リング部９が脱着可能に取付けられている。
【００２９】
図４は、カーテン６を前述のタッセル１０により包囲緊縛した状態を示すものである。カーテン６はその縦方向に形成された多数のプリーツを基点に一箇所にまとめて折畳まれた後は、タッセル１０で包囲し、その両端部の係止リング部９を係止部８に係脱自在に係合することによってカーテン６はタッセル１０により緊縛状態で包囲される。なお、図４では、この包囲緊縛状態で留具１はカーテン６の縁部に磁着されたままであるが、拘束作業が完了したならば、磁着状態から離脱させることも可能であることは勿論である。
【００３０】
係止リング部９の係止具８に対する取付にあたっては、係止具８の一側部に設けたロックバー８ａ（図１、図３参照）を内側に倒せば、ループが解除されるので、空けられた隙間から、タッセルの係止リング部９を内部に押込んで簡単に取付けできる。取付後は、ロックバー８ａに内蔵された図示しないばねのばね圧により再びロックバー８ａは閉じられ、係止リング部９は係止具８に係合状態に保たれる。なお、タッセル１０の形状・材質としては図示の帯状のほか、ロープ状、鎖状など種々の材質・デザインを選択することが可能である。また、タッセル１０両端部の係止リング部９も、タッセルのデザインなどに応じて、紐状リング、ナス環状リングなど、種々の形状とされる。
【００３１】
図５は第２実施形態を示すものである。なお、本第２実施形態において、前記第１実施形態と同一箇所には同一符号を付して説明を省略する。
【００３２】
第２実施形態における留具２０は、一体型でなく二片に分割され、かつそれぞれに互いに磁着される可撓性の一対のベース片２１，２１を有している。各ベース片２１の先端側対向面部には互いに磁着される磁石３，４を内側に固定した状態でその周囲をウエルダ加工による縁取２１ａにより閉止している。カーテン６の外側において前記ベース片２１，２１同士を互いに脱着可能に連結する雌雄のホック２２，２３による連結具を設けている。さらに、前記各ベース片２１の他端側基部を折返して折返し基部２１ｂとし、ハトメ具よりなる結合手段５により結合してループを形成し、このループ内に予め装着されたクリップ７にナス鐶よりなる係止具８を係合している。その他の形状は、上記第１実施形態と同じである。
【００３３】
第２実施形態では、ホック２２，２３を支点として磁石３，４が対面するので面方向のずれを生ずることなく、精度よく対面するため、正確かつ強固な磁着が可能となる。また、第２実施形態における留具２０はホック２２，２３を脱着することで２片に分離させることが出来るため、タッセル１０でカーテン６を包囲緊縛する場合には、ホック２２，２３および磁石３，４を外してそれぞれをタッセル１０の両端に結合し、結合後は、再度ホック２２，２３を嵌め込むことにより、束ねられたカーテン６を包囲緊縛できる。
【符号の説明】
【００３４】
１、２０  留具
２、２１  ベース片、
２ａ  折返し基部、２ｂ、２１ａ  縁取、２１ｂ  折返し基部
３、４  磁石
５  結合手段（ハトメ具）
６  カーテン
７  クリップ
８  係止具（ナス環）
９  係止リング部
１０  タッセル
２２、２３  ホック（連結具）
【図１】
0003172522.tif 000003
【図２】
0003172522.tif 000004
【図３】
0003172522.tif 000005
【図４】
0003172522.tif 000006
【図５】
0003172522.tif 000007